(57)【要約】【課題】  日々の刊行物の購読者からの一時配達停止（破棄・取り置き・転送）指示を即座に在庫に反映したジャストインタイム発行を可能とすること。またその際に、発行元個々の処理を行うのでなく、複数発行元の複数刊行物の一時配達停止を同時に行うこと。【解決手段】  発行元・印刷所・輸送会社間で独自に個別に用意していた通信回線・通信機器・汎用的共通機能を定期刊行物受発注ＥＤＩシステムとして集約し、印刷・輸送に必要な処理・データベースを共通化と連携を行う。また、複数の発行元の販売管理システムと接続し、汎用的共通である印刷・輸送指示機能を構築する。また、購読者端末とインターネットなどを介し接続する。これら発行元・印刷所・輸送会社・購読者をＥＤＩシステムで接続し、合わせて日々の刊行物発行の共通機能を構築する。【選択図】    図１
2008083895.tif 000002
【特許請求の範囲】
【請求項１】
インターネットを介して情報を送受信する機能と、複数の発行元拠点の販売管理システムと連携する機能と、複数の印刷所・輸送会社端末と接続するＥＤＩ機能とから成る定期刊行物受発注システムであって、
前記インターネットを介して情報を送受信する機能は、Ｗｅｂ画面により、刊行物の購読者から新規契約や一時配達停止を受け付ける手段を備え、
前記販売管理システムと連携する機能は、購読者から受け付けた一時配達停止情報を発行元の販売管理システムへ反映する手段を備え、
前記印刷所・輸送会社端末と接続するＥＤＩ機能は、購読者から受け付けた一時配達停止情報を印刷所・輸送会社への印刷・輸送指示に反映する受発注取次手段を備えることを特徴とする定期刊行物受発注システム。
【請求項２】
前記インターネットを介して情報を送受信する機能は、複数の発行元拠点のコンテンツ作成システムから発行元拠点毎のコンテンツを受信してコンテンツ格納データベースに格納する手段を備えることを特徴とする請求項１に記載の定期刊行物受発注システム。
【請求項３】
購読者の配達先住所を地図上にマークやアイコンや文字などで描画する手段と、配達員がその場所に刊行物を配るかを判断する地図やリストを出力する手段と、購読者の新規契約や配達一時停止の要求に伴い、地図やリスト上に配達ポイントを描画する手段と、特定のポイントについては配達一時休止であるなどのステータスをあわせて描画する手段と、販売管理システムなどで管理されている配達リストなどと連携をとり、地図やリスト上に配達順番を示す手段とをさらに備えることを特徴とする請求項１または２に記載の定期刊行物受発注システム。
【発明の詳細な説明】
【技術分野】
【０００１】
本発明は、新聞に代表される日々の定期刊行物の受発注においてＥＤＩ（Electronic Data Interchange）機能を用いて、定期刊行物の発行元、印刷所、輸送会社と接続し、コンテンツと受発注情報を併せてデータ交換すると共に、購読者の増減や配達の一時停止に応じたジャストインタイム発行、配達を実現する定期刊行物受発注ＥＤＩシステムに関するものである。
【背景技術】
【０００２】
新聞や情報誌等の読者は月初のみならず月中の契約・解約を行うことがある。また、数日間留守にする際に配達の停止を依頼することがある。
従来、読者からの契約、解約、停止依頼は、最寄りの営業拠点が電話で受け、発行元拠点の販売管理システムに入力する事で対応している。その際、月中の増減は印刷所、輸送会社への発注量を変更するのではなく、営業拠点の余剰在庫で補填する場合がある。
【０００３】
図１４は、この月中対応を行う従来の販売管理システムの構成図であり、販売店Ｘａ〜Ｘｎの端末１４０９ａ〜１４０９ｎからの依頼を受ける受注部１４０４と、各地の印刷所Ａ〜Ｎ及び輸送会社Ａ〜Ｎの端末１４１０ａ〜１４１０ｎ，１４１１ａ〜１４１１ｎへ印刷・輸送指示を行う発注部１４０６と、その指示データを送受信する送受信部１４０１と、販売店毎の配達数量や購読者の契約内容を格納する営業ＤＢ１４０７、販売店への輸送経路や購読者への配達経路を格納する配達リストＤＢ１４０８と、配達リスト管理部１４０５を備えている。
また、送受信部１４０１から利用される通信制御部１４０２とアダプタ部１４０３ａ〜１４０３ｎとから構成され、各地の印刷所Ａ〜Ｎ及び輸送会社Ａ〜Ｎの通信設備や通信機能に応じて、印刷指示や輸送指示のデータを交換するＥＤＩ（Electronic Data Interchange）１４１２を備えている。
ＥＤＩ１４１２は、各種の商取引にかかわる情報をデジタル化し、公衆回線網、ＩＳＤＮ網、ＴＣＰ／ＩＰ網など各種通信網を通じてやり取りする仕組みであり、取引関係者のコスト、労力を軽減するものとして期待されている。
なお、ＥＤＩに関連する公知技術文献としては下記の特許文献１「商取引管理システム」がある。
【０００４】
【特許文献１】特開２０００−１４８７８５号公報
【発明の開示】
【発明が解決しようとする課題】
【０００５】
ところで、購読者の契約、解約、停止は月初のみでなく月中に依頼される場合がある。
しかし、この場合、日々の数量変更に伴う余剰在庫を最小に抑えるためには、毎日、各地の印刷所Ａ〜Ｎの端末１４１０ａ〜１４１０ｎ、輸送会社Ａ〜Ｎの端末１４１１ａ〜１４１１ｎとのデータ交換を、それぞれ独自の公衆回線網、ＩＳＤＮ網、ＴＣＰ／ＩＰ網により行う必要がある。このため、発行元が自前で各地の印刷所Ａ〜Ｎ及び輸送会社Ａ〜Ｎとの間でデータを送受信する対外通信設備（通信制御部１４０２とアダプタ部１４０３ａ〜１４０３ｎ及び公衆回線網、ＩＳＤＮ網、ＴＣＰ／ＩＰ網）を用意して運用することが必要になり、通信設備とデータ通信料を維持するうえで多大なコストが発生するという問題があった。
【０００６】
また、数日間の停止の依頼のたびに、販売店および営業拠点において電話受付し、即座に数量変更を行う必要があるなど、煩雑な管理作業が必要になるという問題があった。これは、日々の増減を予測した上で予め余剰在庫を含む発注を月初に行い、販売店または営業所に在庫を確保した上で、その数量内で対応することも可能である。
しかし、予期せぬ購読者増に対応できなかったり、読者減により多量の在庫破棄が余儀なくされたりする。
【０００７】
本発明の目的は、発行元における通信設備等の負担及び管理作業の増加を軽減し、かつ購読者の増減や配達の一時停止に対し容易に対応し、販売店等における余剰在庫の削減、ジャストインタイム発行、配達を実現することができる定期刊行物受発注ＥＤＩ（Electronic Data Interchange）システムを提供することにある。
【課題を解決するための手段】
【０００８】
上記目的を達成するために、本発明の定期刊行物受発注ＥＤＩシステムは、インターネットを介して情報を送受信する機能と、複数の発行元拠点の販売管理システムと連携する機能と、複数の印刷所・輸送会社端末と接続するＥＤＩ機能とから成る定期刊行物受発注システムであって、
前記インターネットを介して情報を送受信する機能は、Ｗｅｂ画面により、刊行物の購読者から新規契約や一時配達停止を受け付ける手段を備え、前記販売管理システムと連携する機能は、購読者から受け付けた一時配達停止情報を発行元の販売管理システムへ反映する手段を備え、前記印刷所・輸送会社端末と接続するＥＤＩ機能は、購読者から受け付けた一時配達停止情報を印刷所・輸送会社への印刷・輸送指示に反映する受発注取次手段を備えることを特徴とする。
また、前記インターネットを介して情報を送受信する機能は、複数の発行元拠点のコンテンツ作成システムから発行元拠点毎のコンテンツを受信してコンテンツ格納データベースに格納する手段を備えることを特徴とする。
また、購読者の配達先住所を地図上にマークやアイコンや文字などで描画する手段と、配達員がその場所に刊行物を配るかを判断する地図やリストを出力する手段と、購読者の新規契約や配達一時停止の要求に伴い、地図やリスト上に配達ポイントを描画する手段と、特定のポイントについては配達一時休止であるなどのステータスをあわせて描画する手段と、販売管理システムなどで管理されている配達リストなどと連携をとり、地図やリスト上に配達順番を示す手段とをさらに備えることを特徴とする。
【発明の効果】
【０００９】
本発明の定期刊行物発注ＥＤＩシステムによれば、次のような効果がある。
（１）読者からの一時配達停止（破棄、取り置き、転送）を即座に発行部数に反映することで、必要な数量のみの発行が可能となり、余剰在庫を削減することができる。
（２）発行元と印刷所と輸送会社間でそれぞれ独自・相手毎に用意した通信回線、通信機器などの設備を集約し、共有化することができ、発行元の設備負担が軽減する。
（３）複数の発行元、印刷所、輸送会社の印刷・輸送指示という汎用的機能を共通化することができる。
（４）通信回線、通信機能、汎用的機能を共通化することで、日々の通信コストや運用コストを削減することができる。
【発明を実施するための最良の形態】
【００１０】
以下、本発明を適用した定期刊行物受発注ＥＤＩシステムの一実施の形態について説明する。
図１は、本発明の実施の形態の一例を示すシステム構成図である。
図１に示す実施形態の定期刊行物受発注ＥＤＩシステム１０は、新聞社等の発行拠点１１ａ，１１ｂ毎に設置された販売管理システム１１１とデータ連携をとる受発注取次部１０１と、インターネット１２０を介し購読者Ａ〜Ｃの端末１１７ａ〜１１７ｎから配達一時停止あるいは新規配達依頼を受け付けるＷｅｂ接続部１０２と、受発注情報またはコンテンツ格納の際にデータベースを更新するデータベース更新部１０３と、受発注情報またはコンテンツを検索・読み込みするための検索処理部１０４と、受発注情報を管理する受発注管理データベース１０５と、紙面構成などのコンテンツを格納する為のコンテンツ格納データベース１０６と、受発注時にデータを送受信する為の送受信部１０７と、通信相手に応じた通信プロトコルを制御する通信制御部１０８と、各地の印刷所端末１１８〜１１８ｎと輸送会社端末１１９ａ〜１１９ｎに応じた通信回線網１２１a〜１２１ｎのそれぞれの通信ハードウェアを接続するアダプタ部１０９と、各販売店１１３、１１５に属する配達員１１４、１１６が配達時に使用する地図を格納した地図データベース１２３と、地図上に配達地点を描画する配達ポイント描画部１２２とから構成される。
【００１１】
新聞社等の発行拠点１１ａ，１１ｂには販売管理システム１１１とコンテンツ作成システム１１２が設けられている。
この発行拠点毎の販売管理システム１１１は、図２に示すように、各地の販売店Ｘａ〜Ｘｎの端末１１７ａ〜１１７ｎから受注を受け付ける受注部１１１０と、新規登録した読者の配達経路と刊行物名と数量と購読期間を追加した配達リストを管理する配達リスト管理部１１１１と、各地の印刷所と輸送会社へ印刷輸送指示を含む発注情報を送信する発注部１１１２と、読者情報と売り上げ情報などを管理する営業データベース１１１３と、各地の輸送会社がどの経路でどの販売店へどの刊行物をどの数量輸送するかの情報と配達員がどの読者宅へ配達を行うかを示した情報を格納した配達リストデータベース１１１４とから構成される。
また、発行拠点毎に設置されるコンテンツ作成システム１１２は、刊行物の紙面情報、構成を作成する紙面構成部１１２１で構成される。なお、各販売店に属する配達員Ｘａ−１〜Ｘａ−ｎは配達に使用する地図１２４ａ〜１２４ｎと、携帯電話機や電子手帳や携帯型ＰＣなどで構成される配達員端末１２５ａ〜１２５ｎを携帯している。
【００１２】
図３は、これら各端末が属する地域毎に整理したものである。
購読者はその地域３０１ａを担当している販売店へ契約、解約、配達一時停止などを依頼し、販売店は自社（発行元Ｘ社拠点）１１ａの販売管理システム１１１に入力を行う。
定期刊行物受発注ＥＤＩシステム１０は、例えばデータセンタなどの様々な対外通信機能を備えたビジネス拠点に設置され、新聞社等の販売管理システム１１１からの受発注情報を各地の印刷所、輸送会社へ提供する。接続する印刷所、輸送会社は複数社存在し地域によって異なる場合がある。
定期刊行物受発注ＥＤＩシステム１０は、購読者の属する地域３０１ａ〜３０１ｎに対応した印刷所、輸送会社へ発行、輸送に関する情報を提供する。
【００１３】
図３は、定期刊行物受発注ＥＤＩシステム１０が発行元Ｘ社拠点１１ａのみならず、同様に他社の発行元Ｙ社拠点１１ｂのシステムについても接続できることを表している。印刷所、輸送会社は１社のみでなく複数社から受注し印刷・輸送を行うことがあるため、定期刊行物受発注ＥＤＩシステム１０への接続のみで同地域内の販売店Ｙａ端末３０２からの発注も入手することが可能となる。
【００１４】
図４は、販売店端末１１７ａから販売店管理システム１１１を介し定期刊行物受発注ＥＤＩシステム１０へ受発注情報を更新するまでのブロックを抜き出し、かつ各ＤＢ上に関係するテーブル名などを示したものである。
図５は営業ＤＢ１１１３、配達リストＤＢ１１１４に格納されたテーブルのデータ構造を示したものである。
まず、販売店が購読者より購読契約書４０１を受け取り、販売店端末１１７ａの入力部１１７１より契約情報を入力する。入力されたデータは販売管理システム１１１の受注部１１１０により営業ＤＢ１１１３の契約テーブル４０３に反映される。
契約テーブル４０３は、図５（ａ）に示すように、契約者ＩＤ５０１と、購読者ＩＤから始まる購読者名などの購読者情報５０２と、販売店ＩＤから始まる購読者の属する販売店情報５０３と、購読開始年月日５０４と、購読終了年月日５０５と、一時停止期間５０６と、取り置き転送フラグ５０７とから構成され、一時停止期間５０６と取り置き転送フラグ５０７については契約後に電話などで一時停止を受け付けた際に随時更新を行う。
取り置き転送フラグ５０７とは、刊行物を購読者に配達せずに販売店に一時保管することを示すフラグである。
配達リストテーブル４０５は、図５（ｂ）に示すように、購読者が増える毎に更新され、販売店に輸送された刊行物を配達員の手により配布する際の購読者の配布順番を管理したテーブルであり、配達リスト管理部１１１１により管理される。
【００１５】
営業ＤＢ１１１３の日毎販売店毎発注数量クエリ４０４は、特定の年月日にどの販売店にどれだけの数量の刊行物を印刷・輸送するかを契約テーブル４０３を検索して抽出したもので発注部１１１２から定期刊行物受発注ＥＤＩシステム１０の受発注取次部１０１とＤＢ更新部１０３を介しての発注時に使用し、受発注管理ＤＢ上でも管理をする。
配達リストＤＢ１１１４の輸送ルートテーブル４０６は、販売店の輸送順番が変更となった場合に更新されるテーブルで、輸送会社が各販売店に輸送する順番を管理したテーブルであり、輸送会社と共有する必要がある為、受発注管理ＤＢ１０５上でも同じテーブルを管理する。
【００１６】
図６は、購読者端末から定期刊行物受発注ＥＤＩシステム１０へ新規契約または配達一時停止情報を更新するまでの経緯と、配達に使用する地図を販売店で出力し配達員に手渡するまでの経緯と、配達員が端末からも配達ポイントを参照する経緯とを抜き出したもので、ＰＣや携帯電話機などで構成される購読者端末１１７ａ，１１７ｂの入力部１１７１からインターネット１２０を経由しＷｅｂ接続部１０２を介し、契約テーブル４０３上の一時停止期間と転送フラグを設定し、日毎販売店毎発注数量クエリ４０４の発注数量を更新する。
【００１７】
図７は、購読者端末１１７ａ，１１７ｂの入力部の画面の一例を示す図であり、新規契約画面７０１において読者は新規に契約したい申し込み形態を月極め・週極め・日単位の中から選択し、日単位であれば契約期間指定に年月日を入力し、配達先住所を入力する。
また、配達停止指示画面７０２において、読者は配達を一時的に停止したい期間を入力し、一時停止の期間の刊行物を破棄するか、販売店にて取り置きするか、あらかじめ登録した転送先住所に転送するかを選択する。
【００１８】
図６において、購読者端末から新規契約や配達停止を受け付けて契約テーブル４０３を更新した後、配達ポイント描画部１２２により新規に追加された配達ポイントや一時停止された配達ポイントの情報を配達ポイントテーブル６０３に反映する。そして、販売店端末１１７ａの参照部１１７２から配達ポイント描画部１２２を介して、販売ポイントテーブル６０３を地図データ６０２上にプロットする事と、販売管理システム１１１上の配達リスト管理部１１１１から配達リストテーブル１１１４を検索して配達順番を地図上に記載する事で配達に必要な配達地図６０５を参照・出力することが可能となる。
また、携帯電話機や電子手帳や携帯型ＰＣといった配達員端末１２５ａ，１２５ｂからインターネット１２０を介しての参照も可能となる。
なお、図１３は配達員が使用する地図の一例と配達員端末１２５ａ，１２５ｂからの参照の一例を示したもので、地図上にはその地図を利用する配達者名１３０１と、順番と住所氏名詳細を示したタグ１３０２と、配達停止である場合のステータスを示したタグ１３０３などが表示でき、それぞれのタグを一覧化した画面１３０４も表示できる事を表している。
【００１９】
図８は，コンテンツ作成システム１１２と定期刊行物受発注ＥＤＩシステム１０のコンテンツ管理に関する部分を抜き出したもので、定期刊行物受発注ＥＤＩシステム１０に設けられたコンテンツ格納ＤＢ１０６は紙面構成部１１２１で作成したコンテンツの格納場所とコンテンツに関する諸データを管理したテーブル８０１で構成される。コンテンツ管理データは前述の受発注管理ＤＢ１０５と関連付けて管理する。
【００２０】
図９は、印刷所端末１１８ａと輸送会社端末１１９ａと定期刊行物受発注ＥＤＩシステム１０の関係を抜き出したもので、日々、印刷所端末１１８ａと輸送会社端末１１９ａの参照部９０１，９０２より印刷と輸送にかかわるデータを参照する。
【００２１】
図１０は参照する際の帳票イメージを示す図である。
印刷所は翌日にどのコンテンツをどの数量印刷すればよいか判断するため、コンテンツ管理テーブル８０１からコンテンツ情報を、日毎販売店毎発注数量クエリ４０４ｂから翌日の年月日指定で発注数量を元に抽出した帳票を参照する。
この帳票は、図１０（ａ）に示すように、年月日１００１、コンテンツ名称１００２、輸送会社１００３、ルート１００４、販売店１００５、数量１００６といった情報で構成される。
輸送会社はどのルートでどの販売店にどの数量を輸送するか判断するため、輸送ルートテーブル４０６ａから販売店の輸送順番を、日毎販売店毎発注数量クエリ４０４ｂからどの販売店にどの数量を輸送するかを元に抽出した帳票を参照する。
この帳票は、図１０（ｂ）に示すように、ルート１００７、経路（１）１００８〜経路（Ｎ）１０１２とその数量１００９〜１０１３で構成される。
【００２２】
図１１は、定期刊行物受発注ＥＤＩシステム１１内のデータベースの各データの関連図である。
図１２は、各発行元・各購読者からの日々の発注数量増減を検索処理部１０４で抽出し、送受信部１０７にて各印刷所・輸送会社向けの印刷・輸送指示ファイルを生成し、送受信する為の処理の流れを示したフローチャートである。
検索処理部１０４を毎日決められた時間に起動する。
検索処理部１０４は、まず、受発注管理ＤＢ１０５に格納された図１１（ａ）のユーザ毎刊行物毎号数毎テーブル４０９から予め購読者端末１１７ａなどから入力された購読者のＷｅｂ接続用ユーザＩＤ１１０１のレコードから該当の発行社ＩＤ１１０２の刊行物ＩＤ１１０３の号数１１０４に対する取り置き転送フラグ１１０５を元に抽出を行う（ステップ１２０１）。そして、取り置き転送フラグが「破棄」、「取り置き」、「転送」のパターンに応じて処理を行う。
「破棄」の場合、まず、発行元毎に管理している配達リストテーブル４０５の該当購読者ＩＤ１１０９の該当刊行物１１１０の該当号数１１１１の取り置き転送フラグ１１１２のステータスを「破棄」に設定する（ステップ１２０２）。そして、印刷所・輸送会社毎に管理している発行元毎刊行物毎号数毎数量クエリの該当発行元ＩＤ１１１３の該当販売店ＩＤ１１１６の該当刊行物ＩＤ１１１４の該当号数１１１５の発行数量１１１７を「破棄」のフラグ数分だけマイナスする（ステップ１２０３）。
【００２３】
「取り置き」の場合、まず、発行元毎に管理している配達リストテーブル４０５の該当購読者ＩＤ１１０９の該当刊行物ＩＤ１１１０の該当号数１１１１の取り置き転送フラグ１１１２のステータスを「取置」に設定する（ステップ１２０４）。ここでは、発行数量には影響ない為、発行元毎刊行物毎号数毎数量クエリの変更は行わない。
【００２４】
「転送」の場合、まず、発行元毎に管理している配達リストテーブル４０５の該当購読者ＩＤ１１０９の該当刊行物ＩＤ１１１０の該当号数１１１１の取り置き転送フラグ１１１２のステータスを「転送」に設定する（ステップ１２０５）。
次に、転送先の購読者住所を管理する販売店が転送元の販売店と同一である場合は発行数量に影響ない為、発行元毎刊行物毎号数毎数量クエリの変更は行わない。
しかし、販売店が異なる場合は（ステップ１２０６）印刷所・輸送会社毎に管理している発行元毎刊行物毎号数毎数量クエリの該当発行元ＩＤ１１１３の転送先販売店ＩＤ１１１６の該当刊行物ＩＤ１１１４の該当号数１１１５の発行数量１１１７を「転送」のフラグ数分だけプラスを行う（ステップ１２０７）。そして、印刷所・輸送会社毎に管理している発行元毎刊行物毎号数毎数量クエリの該当発行元ＩＤ１１１３の転送元販売店ＩＤ１１１６の該当刊行物ＩＤ１１１４の該当号数１１１５の発行数量１１１７を「転送」のフラグ数分プラスを行う（ステップ１２０８）。
【００２５】
次に、上記フロー中で作成した発行元毎に管理している配達リスト（破棄・取置・転送）を発行元販売システム１１１へ送信する（ステップ１２０９）。これにより、各販売店は管轄の読者がどういうステータスで配達すべきか、取り置きすべきかの判断が可能となる。
次に、上記フロー中で作成した印刷所・輸送会社毎に管理している発行元毎刊行物毎号数毎数量クエリを生成し（ステップ１２１０）、印刷所・輸送会社へ印刷・輸送指示ファイルを送信する（ステップ１２１１）。
最後に、印刷指示ファイルに紐付けられて刊行物ＩＤ１１１４のコンテンツ格納フォルダ情報１１１５とコンテンツ付加情報１１１６を印刷所へ通知し、あわせてコンテンツデータを印刷所へ送信する（ステップ１２１２）。
なお、印刷所・輸送会社への通信の際は、各通信相手の通信機器に応じたハードウェア・ドライバ・通信プロトコルでの各種通信制御が必要となるが、これを実現する通信制御部・アダプタ部については一般的にＥＤＩ製品として存在するものを適応することで実現が可能である。
【００２６】
以上のように、本実施の形態の定期刊行物受発注ＥＤＩシステムによれば、次のような効果がある。
（１）従来、発行元と印刷所と輸送会社間でそれぞれ独自・相手毎に用意した通信回線・通信機器などの設備を集約し共有化することができる。
（２）複数の発行元、印刷所、輸送会社の印刷・輸送指示という汎用的機能を共通化することができる。
（３）通信回線、通信機能、汎用的機能を共通化することで、日々の通信コストや運用コストを削減することができる。
（４）読者からの一時配達停止（破棄・取り置き・転送）を即座に発行部数に反映することで、必要な数量のみの発行が可能となり、余剰在庫を削減することができる。
（５）読者からの配達先転送といった付加サービスを提供することができる。
（６）読者が複数の発行元の刊行物を購読していた場合において、一度の一時配達停止処理で同時に複数の発行元と複数の印刷所・輸送会社への指示を反映することができる。
（７）コンテンツ情報とその印刷指示を紐付けて管理することが可能であるため、同時に送信・管理することで管理性を向上することができる。
（８）配達員が利用する地図に、購読者の住所の位置情報を描画し、購読者の一時配達停止ステータスや配達順番などの情報を記載することができる。
【図面の簡単な説明】
【００２７】
【図１】本発明の一実施の形態例を示すシステム構成図である。
【図２】発行元拠点の構成を示すブロック図である。
【図３】各端末、システムの地域的・拠点的概念を示した図である。
【図４】販売店端末から定期刊行物受発注ＥＤＩシステムまでを抜粋した内部構成図である。
【図５】販売管理システムと定期刊行物受発注ＥＤＩシステムにおけるデータベース内のテーブル構成を示した図である。
【図６】購読者端末から定期刊行物受発注ＥＤＩシステムまでを抜粋した内部構成図である。
【図７】購読者端末からの入力画面の一例を示した図である。
【図８】コンテンツ作成システムから定期刊行物受発注ＥＤＩシステムまでを抜粋した内部構成図である。
【図９】印刷所・輸送会社端末から定期刊行物受発注ＥＤＩシステムまでを抜粋した内部構成図である。
【図１０】印刷所・輸送会社にて閲覧する帳票イメージの一例を示す図である。
【図１１】定期刊行物受発注ＥＤＩシステムにおけるデータベース内のテーブル構成を示した図である。
【図１２】定期刊行物受発注ＥＤＩシステムの検索処理部と送受信部における処理概要を示したフローチャートである。
【図１３】配達員が使用する地図と画面の概略構成図である。
【図１４】従来の受発注システムの概略構成図である。
【符号の説明】
【００２８】
１０１…受発注取次部、１０２…Ｗｅｂ接続部、１０３…ＤＢ更新部、１０４…検索処理部、１０５…受発注管理ＤＢ、１０６…コンテンツ格納ＤＢ、１０７…送受信部、１０８…通信制御部、１０９ａ，１０９ｂ，１０９ｎ…アダプタ部、１１１０…受注部、１１１１…配達リスト管理部、１１１２…発注部、１１３１…営業ＤＢ、１１１４…配達リストＤＢ、１１６ａ，１１６ｂ，１１６ｎ…販売店端末、１１７ａ，１１７ｂ，１１７ｎ…購読者端末、１１８ａ，１１８ｂ，１１８ｎ…印刷所端末、１１９ａ，１１９ｂ，１１９ｎ…輸送会社端末、１２０…インターネット。
【図１】
2008083895.tif 000003
【図２】
2008083895.tif 000004
【図３】
2008083895.tif 000005
【図４】
2008083895.tif 000006
【図５】
2008083895.tif 000007
【図６】
2008083895.tif 000008
【図７】
2008083895.tif 000009
【図８】
2008083895.tif 000010
【図９】
2008083895.tif 000011
【図１０】
2008083895.tif 000012
【図１１】
2008083895.tif 000013
【図１２】
2008083895.tif 000014
【図１３】
2008083895.tif 000015
【図１４】
2008083895.tif 000016